(57)【特許請求の範囲】
【請求項１】
電磁コイル（１４）の電磁力により可動接点（２０）が駆動され、
筐体（１０、１１）の内部に形成された収容空間（１０ａ）に前記電磁コイル（１４）および前記可動接点（２０）が収容され、
前記収容空間（１０ａ）と前記筐体（１０、１１）の外部空間とを連通させる空気通路（１０１）が前記筐体（１０、１１）に形成され、
磁性体の異物を磁気により捕集する捕集部材（１６２）が前記空気通路（１０１）中に配置されている電磁継電器であって、
前記電磁コイル（１４）により誘起された磁束の磁路を構成するヨーク（１６）を備え、前記ヨーク（１６）は、本体部（１６１）が前記収容空間（１０ａ）に配置されると共に足部（１６２）が前記空気通路（１０１）中に挿入されており、前記足部（１６２）が前記捕集部材として機能するように構成されていることを特徴とする電磁継電器。
【請求項２】
外部空間側から流入する磁性体の異物が前記足部（１６２）に衝突するように、前記空気通路（１０１）における外部空間側の開口部（１０２）が前記足部（１６２）に対向して配置されていることを特徴とする請求項１に記載の電磁継電器。
【発明の詳細な説明】
【技術分野】
【０００１】
本発明は、電気回路を開閉する電磁継電器に関する。
【背景技術】
【０００２】
従来の電磁継電器は、電磁コイル等の構成部品が配置された筐体内の収容空間を、筐体に形成された空気通路を介して筐体の外部空間と連通させている（例えば、特許文献１、２参照）。
【先行技術文献】
【特許文献】
【０００３】
【特許文献１】特開２０１０−９２８２９号公報
【特許文献２】特開２０１０−１７７１６５号公報
【発明の概要】
【発明が解決しようとする課題】
【０００４】
しかしながら、従来の電磁継電器は、磁性体の異物が空気と共に空気通路を介して収容空間に侵入し、その磁性体の異物が可動鉄片や固定鉄心等に付着して、機能不良（例えば、接点間の接触不良）が発生するという問題があった。
【０００５】
本発明は上記点に鑑みて、磁性体の異物による機能不良を防止することを目的とする。
【課題を解決するための手段】
【０００６】
上記目的を達成するため、請求項１に記載の発明では、電磁コイル（１４）の電磁力により可動接点（２０）が駆動される電磁継電器であって、筐体（１０、１１）の内部に形成された収容空間（１０ａ）に電磁コイル（１４）および可動接点（２０）が収容され、収容空間（１０ａ）と筐体（１０、１１）の外部空間とを連通させる空気通路（１０１）が筐体（１０、１１）に形成され、磁性体の異物を磁気により捕集する捕集部材（１６２）が空気通路（１０１）中に配置されていることを特徴とする。
【０００７】
これによると、呼吸用空気中に含まれる磁性体の異物は捕集部材（１６２）に捕集されるため、磁性体の異物の収容空間（１０ａ）への侵入を防止し、ひいては磁性体の異物による電磁継電器の機能不良を防止することができる。
【０００８】
さらに、請求項１に記載の発明では、電磁コイル（１４）により誘起された磁束の磁路を構成するヨーク（１６）を備え、ヨーク（１６）は、本体部（１６１）が収容空間（１０ａ）に配置されると共に足部（１６２）が空気通路（１０１）中に挿入されており、足部（１６２）が捕集部材として機能するように構成されていることを特徴とする。
【０００９】
これによると、残留磁気を帯びたヨーク（１６）の足部（１６２）を捕集部材として利用するため、構成部品を追加することなく実施することができる。
【００１０】
請求項２に記載の発明では、請求項１に記載の電磁継電器において、外部空間側から流入する磁性体の異物が足部（１６２）に衝突するように、空気通路（１０１）における外部空間側の開口部（１０２）が足部（１６２）に対向して配置されていることを特徴とする。
【００１１】
これによると、外部空間側から流入する磁性体の異物が足部（１６２）に衝突するため、磁性体の異物を足部（１６２）に確実に捕集することができる。
【００１３】
なお、この欄および特許請求の範囲で記載した各手段の括弧内の符号は、後述する実施形態に記載の具体的手段との対応関係を示すものである。
【図面の簡単な説明】
【００１４】
【図１】本発明の一実施形態に係る電磁継電器を示す正面断面である。
【図２】ケースを破断して示す図１の右側面断面図である。
【図３】図１の下面図である。
【図４】図２のＡ−Ａ線に沿う断面図である。
【図５】図４のＢ−Ｂ線に沿う断面図である。
【図６】図４のＣ−Ｃ線に沿う断面図である。
【発明を実施するための形態】
【００１５】
本発明の一実施形態について説明する。図１は一実施形態に係る電磁継電器を示す正面断面図、図２はケースを破断して示す図１の右側面断面図、図３は図１の下面図である。
【００１６】
図１〜図３に示すように、本実施形態に係る電磁継電器は、樹脂よりなる板状のベース１０に、樹脂よりなる有底筒状で直方体のケース１１が嵌合されており、ベース１０とケース１１とによって内部に収容空間１０ａが形成されている。収容空間１０ａは、ベース１０に形成された２つの空気通路１０１を介して、ベース１０およびケース１１の外部空間に連通されている。なお、ベース１０およびケース１１は、本発明の筐体を構成する。
【００１７】
ベース１０には、導電金属製の固定接点保持部材１２が固定されている。固定接点保持部材１２は、ベース１０を貫通していて、一端側が収容空間１０ａ内に位置し、他端側が外部空間に位置している。
【００１８】
固定接点保持部材１２における収容空間１０ａ側の端部には、導電金属製の固定接点１３がかしめ固定されている。固定接点保持部材１２の外部空間側には、外部ハーネス（図示せず）と接続されるメーク端子１２１が形成されている。
【００１９】
収容空間１０ａに配置された電磁コイル１４は、鍔付き円筒状の樹脂製のスプール１４１と、スプール１４１の円筒部外周に巻かれたコイルワイヤ１４２とを有し、通電時に電磁力を発生する。コイルワイヤ１４２には、ベース１０を貫通する２つのコイル端子１５を介して電力が供給されるようになっている。
【００２０】
ヨーク１６は、磁性体金属材料よりなり、コ字状に曲げられており、電磁コイル１４により誘起された磁束の磁路を構成する。ヨーク１６は、収容空間１０ａ内に位置する本体部１６１と、空気通路１０１中に挿入される捕集部材としての２本の足部１６２と、外部空間側に突出して外部ハーネスと接続されるコモン端子１６３とを備えている。そして、ベース１０に形成された空気通路１０１中に足部１６２を圧入することにより、ヨーク１６がベース１０に固定されている。
【００２１】
スプール１４１の円筒部内には、磁性体金属材料よりなる固定鉄心１７が配置されている。固定鉄心１７はヨーク１６に固定され、電磁コイル１４はヨーク１６と固定鉄心１７に挟持されている。
【００２２】
固定鉄心１７に対向する位置に、磁性体金属製の可動鉄片１８が配置されており、可動鉄片１８は、コイル通電時に固定鉄心１７側に吸引される。また、可動鉄片１８は、略Ｌ字状に曲げられた薄板金属製の可動板ばね１９によってヨーク１６に連結されている。
【００２３】
可動板ばね１９には、導電金属製の可動接点２０がかしめ固定されており、可動接点２０は固定接点１３に対向して配置されている。可動接点２０は、可動板ばね１９を介してヨーク１６のコモン端子１６３と電気的に接続されている。そして、可動板ばね１９は、可動鉄片１８が固定鉄心１７から離れ且つ可動接点２０が固定接点１３から離れる向きの弾性力を、可動鉄片１８に作用させる。
【００２４】
次に、本実施形態に係る電磁継電器の要部について説明する。図４は図２のＡ−Ａ線に沿う断面図、図５は図４のＢ−Ｂ線に沿う断面図、図６は図４のＣ−Ｃ線に沿う断面図である。
【００２５】
図４〜図６に示すように、収容空間１０ａと外部空間を連通させる空気通路１０１にはヨーク１６の足部１６２が圧入されている。また、足部１６２に形成された突起部１６４がベース１０に食い込んで、ヨーク１６がベース１０から抜けないようになっている。そして、空気通路１０１のうち足部１６２に塞がれていない部位を呼吸用空気が流通する。
【００２６】
空気通路１０１における外部空間側の端部は、スリット状の３つの開口部１０２となっている。因みに、３つの開口部１０２のうち中央の開口部１０２は、幅０．１５ｍｍ、長さ０．６ｍｍであり、他の２つの開口部１０２は、幅０．１５ｍｍ、長さ１．２ｍｍである。
【００２７】
３つの開口部１０２は、足部１６２の圧入方向（すなわち呼吸用空気の流通方向）に沿ってみたときに、足部１６２の投影面内に位置している。換言すると、３つの開口部１０２は、足部１６２における長手方向端面に対向して配置されている。これにより、外部空間側から流入する磁性体の異物が足部１６２に衝突するようになっている。
【００２８】
上記構成になる電磁継電器は、電磁コイル１４に通電されると、その電磁力により可動鉄片１８が固定鉄心１７側に吸引され、可動接点２０が固定接点１３に当接して電気回路が閉じられる。一方、電磁コイル１４への通電が遮断されると、可動板ばね１９の弾性力により可動接点２０が固定接点１３から離され、電気回路が開かれる。
【００２９】
ここで、空気通路１０１を流通する呼吸用空気中に磁性体の異物が含まれている場合は、その磁性体の異物は足部１６２の残留磁気により吸引されて足部１６２に捕集される。したがって、磁性体の異物の収容空間１０ａへの侵入を防止し、ひいては磁性体の異物による電磁継電器の機能不良を防止することができる。
【００３０】
この際、３つの開口部１０２は足部１６２に対向して配置されて、外部空間側から流入する磁性体の異物が足部１６２に衝突するようになっているため、磁性体の異物を足部１６２に確実に捕集することができる。
【００３１】
なお、上記実施形態においては、捕集部材としての足部１６２により磁性体の異物を捕集するようにしたが、捕集部材としての永久磁石を空気通路１０１中に配置して、その永久磁石により磁性体の異物を捕集するようにしてもよい。
【符号の説明】
【００３２】
１０    ベース（筐体）
１１    ケース（筐体）
１４    電磁コイル
２０    可動接点
１０１  空気通路
１０ａ  収容空間
１６２  足部（捕集部材）
【図１】
0005585511.tif 000002
【図２】
0005585511.tif 000003
【図３】
0005585511.tif 000004
【図４】
0005585511.tif 000005
【図５】
0005585511.tif 000006
【図６】
0005585511.tif 000007